(57)【要約】【課題】扉又はゲートを設置できないスペースでも、部屋の在室者及び不在室者の管理を可能にする。【解決手段】建物１には部屋２と通路３があり、部屋２の手前の壁には個人認証装置４が設置してある。通路３を部屋２に向かって通行する人が個人認証装置４に達する手前に、人を検知する人感センサ５，６を設置し、個人認証装置４と部屋２の間には、人感センサ７，８を設置してある。人感センサ５，６が順次人を検知した後、個人認証装置４が特定個人を認証すると、この人を部屋２の在室者として記憶し、その後人感センサ７，８が人を検知しても、これを無視する。人が退室する場合はこの逆となり、部屋２の不在室者を記憶する。【選択図】        図１
2005031817.tif 000002
【特許請求の範囲】
【請求項１】
建物内の部屋の手前に特定個人を認証する個人認証装置を設置し、この個人認証装置の近傍に人を検知する人感センサを配置し、この人感センサの検知と上記個人認証装置の認証の順序により上記検知された人を上記部屋の在室者又は不在室者として記憶する在・不在者記憶手段を備えてなる入退室管理装置。
【請求項２】
部屋とこの部屋に通じる通路上の地点との間に特定個人を認証する個人認証装置を設置し、この個人認証装置と上記地点との間に人を検知する複数個の入室用人感センサを配置し、上記個人認証装置と上記部屋との間に上記人を検知する複数個の退室用人感センサを配置し、上記入室用人感センサが順次上記人を検知した後上記個人認証装置が上記特定個人を認証すると、この人を上記部屋の在室者として記憶する在室者記憶手段と、上記退室用人感センサが順次上記人を検知した後上記個人認証装置が上記特定個人を認証すると、この人を上記部屋の不在室者として記憶する不在室者記憶手段とを備えてなる入退室管理装置。
【請求項３】
個人認証装置が特定個人を認証した後に、その人の通行方向にある退室用人感センサ又は入室用人感センサが上記人を検知しても、その検知を無視する検知無視手段を設けたことを特徴とする請求項２記載の入退室管理装置。
【発明の詳細な説明】
【０００１】
【発明の属する技術分野】
この発明は、建物内の部屋への入室者及び部屋からの退室者を管理する装置に関するものである。
【０００２】
【従来の技術】
従来の在室管理システムにおいては、建屋内の所定位置に並列に設置された光電子センサ（光電センサ）からの移動体が通過することによる光の切断・復帰の時間的なずれを検出して、移動体の移動方向および個数を演算する。また同様に、特定領域内の複数の所定位置に設置された光電子センサ（光電センサ）からの信号を演算することで得られる結果から特定領域内に在室する移動体の個数を演算する。さらに特定領域間の移動体の移動方向および個数などの動線も演算するように構成されている（例えば、特許文献１参照）。
【０００３】
【特許文献１】
特開２００２−３１９０１３号公報（要約書、図１、図２）
【０００４】
【発明が解決しようとする課題】
上記のような従来の在室管理システムでは、光電子センサ（光電センサ）からの光の切断・復帰の時間的なずれを検出して在室個数を演算するようにしているため、これを人の入退室管理に使用する場合には、部屋に電気錠つきの扉又はゲートを設けて、正規の人だけが入退室できるようにする必要があり、扉又はゲートを設置できないスペースには適応できず、まただれが入退室したか分からないという問題点がある。
【０００５】
この発明は、上記問題点を解消するためになされたもので、扉又はゲートを設置できないスペースでも、在室者・不在室者の管理ができるようにした入退室管理装置を提供することを目的とする。
【０００６】
【課題を解決するための手段】
この発明に係る入退室管理装置は、建物内の部屋の手前に特定個人を認証する個人認証装置を設置し、この個人認証装置の近傍に人を検知する人感センサを配置し、この人感センサの検知と個人認証装置の認証の順序により、上記検知された人を部屋の在室者又は不在室者として記憶するようにしたものである。
【０００７】
【発明の実施の形態】
実施の形態１．
図１〜図３はこの発明の第１〜第３発明の一実施の形態を示す図で、図１は部屋内外部の平面図、図２は全体構成図、図３は動作フローチャートであり、図中同一符号は同一部分を示す。
【０００８】
図１に置いて、建物１には部屋２及びこの部屋２に通じる通路３が設けられている。そして、部屋２に近い通路３の壁には、部屋２の出入りが許可されている特定個人を認証する個人認証装置（例えば、カードリーダ、指紋照合装置等）４が設置されている。また、通路３には赤外線センサ等の人感センサ５〜８が設けられ、人感センサ５，６は通路３を部屋２に向かって通行する人が個人認証装置４に達する手前に配置され、人感センサ７，８は個人認証装置４と部屋２の間に配置されている。
【０００９】
図２において、操作者が個人情報などを設定する操作部１１は、認証情報記憶手段１２を介して個人認証手段１３に接続されている。また、個人認証装置４は個人認証装置制御手段１４を介して個人認証手段１３に接続されている。また、人感センサ５〜８は外部信号制御手段１５に接続されている。そして、個人認証手段１３及び外部信号制御手段１５は状態記憶手段１６を介して表示部１７に接続されている。また、在室者管理手段１８は状態記憶手段１６に接続されるとともに、在室者記憶手段１９を介して表示部１７に接続されている。
【００１０】
次に、この実施の形態の全体動作を説明する。
操作者が表示部１７の表示に従って、操作部１１から個人認証情報を入力するとその内容は認証情報記憶手段１２に記憶（登録）される。そして、入室又は退室のために個人認証装置４を操作すると、その個人認証情報は個人認証装置制御手段１４で受信され、個人認証手段１３へ送信される。個人認証手段１３は個人認証制御手段１４から受信した個人認証情報を、認証情報記憶手段１２に記憶された個人認証情報に基づいて認証する。
【００１１】
一方、外部信号制御手段１５は人感センサ５〜８からの検知信号を入力する。そして、個人認証手段１３からの認証結果及び外部信号制御手段１５からの人感センサ５〜８の状態変化は状態記憶手段１６に記憶される。
【００１２】
また、在室者管理手段１８は状態記憶手段１６に記憶された人感センサ５〜８の検知信号の変化の流れから入退室を演算し、在室者記憶手段１９は在室者管理手段１８の出力から部屋２の在室者を記録する。そして、状態記憶手段１６及び在室者記憶手段１９に記憶された情報から、操作者が必要とする情報が表示部１７に表示される。
【００１３】
次に、人感センサ５〜８及び個人認証装置４による入退室管理動作を図３を参照して説明する。
（１）入室動作
今、入室者は図１の左方から通路３を右方向へ通行して来るものとする。
ステップＳ１で人感センサ５が人を検知したかを判定する。まだ人を検知していないので、ステップＳ５へ進み人感センサ８が人を検知したかを判定する。
まだ人を検知していないのでステップＳ１へ戻る。すなわち、人感センサ５は人の検知を待機している状態になっている。
【００１４】
ステップＳ１で人感センサ５が人を検知するとステップＳ２へ進み人感センサ６が人を検知したかを判定する。人を検知すればステップＳ３で個人認証が「正」かを判定する。つまり、人感センサ５，６で検知された人は個人認証装置４で個人認証を行い、もし個人認証が「否」であればステップＳ１へ戻って待機状態となる。個人認証が「正」であれば、ステップＳ４へ進んで在室者として記憶してステップＳ１へ戻って待機状態となる。
【００１５】
個人認証が「正」と判定された入室者は、個人認証装置４の位置から部屋２の方へ通行し、人感センサ７の位置を通過することになり、人感センサ７は人を検知するが、図３の処理の流れを変えることはない。すなわち、人感センサ７の動作は無視されることになる。次に人感センサ８が人を検知すると、ステップＳ５からステップＳ２へ進み、人感センサ６が人を検知したかを判定する。現在の入室者の位置では、人感センサ６は人を検知していないので、ステップＳ６へ進み、人感センサ７が人を検知したかを判定する。
【００１６】
現在人感センサ７は人を検知していないので、ステップＳ１へ戻って待機状態となる。これで、入室者は部屋２へ入室することになる。
【００１７】
（２）退室動作
今、退室者は部屋２から通路３を左方向へ通行して来るものとする。
ここでは人感センサ８が人の検知を待機している状態になっている。すなわち、ステップＳ１で人感センサ５が人を検知したかを判定する。まだ、人を検知していないので、ステップＳ５へ進み人感センサ８が人を検知したかを判定する。ここで、人感センサ８が人を検知すれば、ステップＳ２で人感センサ６が人を検知したかを判定する。
【００１８】
現在の退室者の位置では、人感センサ６は人を検知していないので、ステップＳ６へ進み、人感センサ７が人を検知したかを判定する。ここで、人感センサ７が人を検知すれば、ステップＳ７で個人認証が「正」かを判断する。退室者が入室時と同様に、個人認証装置４で個人認証を行って「正」であればステップＳ８へ進んで不在者として記憶してステップＳ１へ戻る。
【００１９】
個人認証が「正」と判定された退室者は、人感センサ６の位置を通過することになり、人感センサ６は人を検知するが、入室時と同様に人感センサ６の動作は無視される。次に人感センサ５が人を検知するとステップＳ１からステップＳ２へ進み、人感センサ６が人を検知したかを判定するが、人を検知していないのでステップＳ２→ステップＳ６→ステップＳ１→ステップＳ２と進み、結果人感センサ６，５の動作は無視され、退室者は通路３を左方向へ通行することになる。
【００２０】
なお、上記実施の形態では、人感センサ５〜８は、赤外線センサを用いるものとして説明したが、これに限るものではない。例えば、投光器と受光器の間に光線を通し、この光線を人が遮断すると人の通過を検出する形式の人感センサでも適用可能である。
ここでステップＳ１〜Ｓ８は在・不在室者記憶手段を、ステップＳ１〜Ｓ４は在室者記憶手段を、ステップＳ５〜Ｓ８は不在室者記憶手段を、ステップＳ１→Ｓ５、ステップＳ１→Ｓ５→Ｓ２→Ｓ６は検知無視手段を構成している。
【００２１】
このようにして、人感センサ５，６が人を順次検知した後、個人認証装置４が特定個人を検知すると、この人を部屋２の在室者として記憶し、その後人感センサ７，８が人を検知してもこれを無視し、人感センサ８，７が順次人を検知した後、個人認証装置４が特定個人を検知すると、この人を部屋２の不在室者として記憶し、その後人感センサ６，５が人を検知してもこれを無視する。その結果、扉又はゲートを設置できないスペースでも、信頼性の高い、在室者管理機能を実現することが可能となる。また、だれが入退室したかを知ることも可能となる。
【００２２】
【発明の効果】
以上説明したとおり、人感センサの検知と個人認証装置の認証の順序により、上記検知された人を部屋の在室者又は不在室者として記憶するようにしたので、扉又はゲートを設置できないスペースでも、信頼性の高い在室者管理を実行することができる。
【図面の簡単な説明】
【図１】この発明の実施の形態１を示す部屋内外部の平面図。
【図２】この発明の実施の形態１を示す全体構成図。
【図３】この発明の実施の形態１を示す動作フローチャート。
【記号の説明】
１  建物、  ２  部屋、  ３  通路、  ４  個人認証装置、  ５〜８  人感センサ、  １２  認証情報記憶手段、  １３  個人認証手段、  １４  個人認証装置制御手段、  １５  外部信号制御手段、  １８  在室者管理手段、  １９  在室者記憶手段。
Ｓ１〜Ｓ８  在・不在室者記憶手段、  Ｓ１〜Ｓ４  在室者記憶手段、  Ｓ５〜Ｓ８  不在室者記憶手段、  Ｓ１→Ｓ５，Ｓ１→Ｓ５→Ｓ２→Ｓ６  検知無視手段。
【図１】
2005031817.tif 000003
【図２】
2005031817.tif 000004
【図３】
2005031817.tif 000005